(57)【要約】  データ記録再生装置において、記録媒体に記録されたデータファイルを記録開始時間の新しい順に、リモートコントローラ（１１３）の数字ボタン（２０４）の小さな数字から割り当ててボタン対応テーブル（１１５）として記憶する。リモートコントローラ（１１３）を介していずれかの数字ボタン（２０４）の押下を受け付けたとき、受け付けた数字ボタンの数字に対応づけてボタン対応テーブル（１１５）に記憶されているデータファイルを再生する。【特許請求の範囲】
【請求項１】
記録媒体へ／からのデータファイルの記録／再生を行う記録再生部と、
それぞれ異なる数字が割り当てられた複数の数字ボタンを有するリモートコントローラから、押下に応じて前記数字ボタンに割り当てられた数字を示す指示信号を受信する受信部と、
前記リモートコントローラの数字ボタンに割り当てられた各数字と、前記記録媒体に記録されたデータファイルと、を対応づけて記憶するボタン対応テーブルと、
前記受信部がいずれかの前記数字ボタンに割り当てられた数字を示す指示信号を受信したとき、当該受信した指示信号が示す数字に対応づけて前記ボタン対応テーブルに記憶されているデータファイルを再生するよう前記記録再生部を制御する制御部と、を備える
ことを特徴とするデータ記録再生装置。
【請求項２】
請求項１記載のデータ記録再生装置であって、
前記制御部は、前記受信部が、前記いずれかの数字ボタンに割り当てられた数字を示す指示信号を受信したときであって、当該受信に先立って、前記数字ボタンとは異なる選択ボタンをさらに備えるリモートコントローラから前記選択ボタンに割り当てられた指示信号を受信している場合、前記制御を行うこと
を特徴とするデータ記録再生装置。
【請求項３】
請求項１記載のデータ記録再生装置であって、
前記制御部は、前記受信部が、前記いずれかの数字ボタンに割り当てられた数字を示す指示信号を受信したときであって、当該指示信号を連続して所定期間受信した場合、前記制御を行うこと
を特徴とするデータ記録再生装置。
【請求項４】
請求項１記載のデータ記録再生装置であって、
前記制御部は、前記受信部が、前記いずれかの数字ボタンに割り当てられた数字を示す指示信号を受信したときであって、当該指示信号を連続して複数回受信した場合、前記制御を行うこと
を特徴とするデータ記録再生装置。
【請求項５】
請求項１乃至請求項４のいずれか１項に記載のデータ記録再生装置であって、
前記記録媒体に記録されたデータファイルの記録開始時間を記憶する記録ファイルテーブルをさらに備え、
前記記録部は、前記記録ファイルテーブルに記録されたデータファイルの記録開始時間に基づいて、記録開始時間が最新のデータファイルから前記数字ボタンに割り当てられた数字を昇順に対応づけて前記ボタン対応テーブルに記憶すること
を特徴とするデータ記録再生装置。
【請求項６】
請求項５記載のデータ記録再生装置であって、
前記制御部は、前記記録ファイルテーブルが更新される毎に、更新後の記録ファイルテーブルの情報を用いて前記ボタン対応テーブルを更新すること
を特徴とするデータ記録再生装置。
【請求項７】
記録媒体へ／からのデータファイルの記録／再生を行う記録再生部と、
それぞれ異なる数字が割り当てられた複数の数字ボタンを有するリモートコントローラから、押下に応じて前記数字ボタンに割り当てられた数字を示す指示信号を受信する受信部と、
前記リモートコントローラの数字ボタンに割り当てられた各数字と、前記記録媒体に記録されたデータファイルと、を対応づけて記憶するボタン対応テーブルと、を備えたデータ記録再生装置を用い、
前記受信部がいずれかの前記数字ボタンに割り当てられた数字を示す指示信号を受信したとき、当該受信した指示信号が示す数字に対応づけて前記ボタン対応テーブルに記憶されているデータファイルを再生するよう前記記録再生部を制御すること
を特徴とするデータ再生方法。
【発明の詳細な説明】
【技術分野】
【０００１】
本発明は、ハードディスク（Hard Disk：ＨＤ）等の記録媒体にビデオデータやオーディオデータを記録し、当該記録媒体に記録されたビデオデータやオーディオデータを再生するデータ記録再生技術に関する。
【背景技術】
【０００２】
近年、普及し始めたハードディスク等の記録媒体を利用する記録再生装置は、テレビジョン放送等の放送信号を大量に記録することができ、ユーザは、記録媒体に記録した放送信号を選択して再生することができる。このような記録再生装置に記録された放送信号を再生する際、ユーザはまずメニュー画面を呼び出し、次いでタイトル一覧もしくはサムネイル表示された記録ファイルの中より視聴したい放送信号を選択して再生開始を指示する。これにより、ユーザは所望の放送信号を視聴することができる（例えば、特開２００３−２４４６５２号公報参照）。【０００３】
上記公報に開示されている動画像再生装置において、ＨＤに記録した放送信号を視聴するためには、メニュー画面を表示させる操作、画面上に表示されたファイル一覧から視聴したい放送信号（記録ファイル）を選択する操作、選択した放送信号の再生を開始させる操作、が必要である。このため、ユーザは、リモートコントローラのボタンを複数回押す操作をしなければならず、希望する放送信号の再生が開始されるまでの操作回数が多く、視聴したい放送信号をすぐ視聴することが難しい。【０００４】
また、上記公報に開示された動画像再生装置では、以前に記録した放送信号を視聴する場合にも、最近記録した放送信号を視聴する場合も、同じ複数回の操作が必要である。このため、ユーザにとっては、例えば、直前に記録が終了した放送信号であっても、当該放送信号を再生するためには複数回の操作が必要であり、当該操作が煩わしい。
【発明の開示】
【０００５】
本発明は、上記不都合を緩和し、記録した放送信号を実質的に少ない操作回数で容易に再生を開始させることができるデータ記録再生技術を提供することを目的とする。
【０００６】
上記目的を達成するため、本発明に係るデータ記録再生装置は、記録媒体へ／からのデータファイルの記録／再生を行う記録再生部と、それぞれ異なる数字が割り当てられた複数の数字ボタンを有するリモートコントローラから、押下に応じて前記数字ボタンに割り当てられた数字を示す指示信号を受信する受信部と、前記リモートコントローラの数字ボタンに割り当てられた各数字と、前記記録媒体に記録されたデータファイルと、を対応づけて記憶するボタン対応テーブルと、前記受信部がいずれかの前記数字ボタンに割り当てられた数字を示す指示信号を受信したとき、当該受信した指示信号が示す数字に対応づけて前記ボタン対応テーブルに記憶されているデータファイルを再生するよう前記記録再生部を制御する制御部と、を備える。これにより、ユーザは、メニュー画面を表示させるなどの操作をすることなく、実質的に少ない操作回数で容易に記録した放送信号（データファイル）の再生を開始させることが可能となる。
【図面の簡単な説明】
【０００７】
【図１】本発明のデータ記録再生装置の一実施例の概略構成を示す図である。
【図２】本実施例のデータ記録再生装置のリモートコントローラの概略構成を示す図である。
【図３】本実施例の映像記録再生装置における記録ファイルテーブル及びボタン対応テーブルを説明する図である。
【図４】本実施例のデータ記録再生装置の記録時の動作を説明するフローチャートである。
【図５】本実施例のデータ記録再生装置の記録ファイルの再生時の動作を説明するフローチャートである。
【発明を実施するための最良の形態】
【０００８】
以下に示す実施の形骸に係るデータ記録再生装置は、テレビ放送番組を記録・再生する装置として説明するが、それに限定されない。例えば、データ記録再生装置に接続された再生装置から入力され、一旦ＨＤに記録されたビデオデータやオーディオデータを再生する装置であってもよい。【０００９】
図１は、本発明のデータ記録再生装置の一実施例の概略構成を示す図である。【００１０】
図１において、データ記録再生装置は、チューナ１０１、エンコーダ１０２、記録/再生部１０３、デコーダ１０４、ビデオデータ処理部１０５、オーディオデータ処理部１０６、受信部１０７、ＲＡＭ（Random Access Memory）１０８、制御部１０９を備える。エンコーダ１０２、デコーダ１０４、記録/再生部１０３、受信部１０７、ＲＡＭ１０８、制御部１０９は、それぞれバス１１０に接続され、バス１１０を介してデータのやりとりを行う。【００１１】
チューナ１０１は、テレビ放送番組を受信するためのアンテナ１１１を備える。チューナ１０１は、後述する制御部１０９の制御により、アンテナ１１１により受信した電波から指定された放送チャンネルの放送信号を抽出し、当該放送信号をエンコーダ１０２に出力する。【００１２】
エンコーダ１０２は、チューナ１０１から出力された放送信号に、例えば、ＭＰＥＧ（Moving Picture Expert Group）方式などによる圧縮処理を施す。エンコーダ１０２は、後述する制御部１０９の制御により、バス１１０を介して圧縮処理を施したデータを記録/再生部１０３に出力する。【００１３】
記録/再生部１０３は、後述する制御部１０９の制御により、エンコーダ１０２から出力された圧縮データを記録媒体に記録する。本例において、記録/再生部１０３はハードディスクドライブ（ＨＤＤ）から構成され、内蔵ハードディスク（ＨＤ）にデータを記録する。記録/再生部１０３は、記録開始から記録停止までのデータを１つの記録ファイルとして記録する。また、記録/再生部１０３は、後述する制御部１０９の制御により、指定された記録ファイルのデータを再生、すなわち、記録媒体から読み出し、デコーダ１０４に出力する。【００１４】
デコーダ１０４は、後述する制御部１０９の制御により、記録/再生部１０３から出力された圧縮データに対し伸張処理を施す。デコーダ１０４は、伸張後のデータのうち、ビデオデータをビデオデータ処理部１０５に出力し、オーディオデータをオーディオデータ処理部１０６に出力する。【００１５】
ビデオデータ処理部１０５は、ビデオデータをビデオ・オーディオ出力装置１１２（モニタ、プロジェクタなど）の表示仕様に適したビデオ信号に変換し、当該ビデオ・オーディオ出力装置１１２に出力する。ビデオ・オーディオ出力装置１１２は、入力されたビデオ信号を映像として表示する。【００１６】
オーディオデータ処理部１０６は、オーディオデータをデジタルアナログ変換し、ビデオ・オーディオ出力装置１１２、或いは、アンプに接続されたスピーカ（図示せず）に出力する。ビデオ・オーディオ出力装置１１２又はアンプに接続されているスピーカは、入力されたオーディオ信号を音として出力する。【００１７】
受信部１０７は、リモートコントローラ１１３から送信された赤外線を受光、解析する。解析後、受光部１０７は、リモートコントローラ１１３に設けられた複数のボタンに各々対応した指示信号を制御部１０９に出力する。【００１８】
図２は、本実施形態のデータ記録再生装置のリモートコントローラ１１３の概略構成を示す図である。【００１９】
図２において、リモートコントローラ１１３は、「電源」ボタン２０１、「ＨＤＤ」ボタン２０２、「メニュー」ボタン２０３、「１」〜「１２」の数字ボタン２０４、音量の上げ下げを指示する音量ボタン２０５、チャンネル数の上げ下げを指示する「＋」及び「−」のチャンネルボタン２０６、記録した放送番組の選択や再生する番組を選択する選択ボタン２０７、選択を決定する決定ボタン２０８、再生ボタン２０９、停止ボタン２１０、早送り再生ボタン２１１、早戻し再生ボタン２１２、一時停止ボタン２１３、録画ボタン２１４を備える。この他、スキップボタンなどを備えていてもよい。【００２０】
「ＨＤＤ」ボタン２０２は、ＨＤに記録されたデータを再生する際に操作される。「ＨＤＤ」ボタン２０２により、チューナ１０１が受信した放送番組の出力と、ＨＤに記録されたデータ再生と、を切り換えることができる。すなわち、ユーザは、放送番組をリアルタイムで見ているとき、「ＨＤＤ」ボタン２０２を押すことにより、ＨＤに記録したデータの選択・再生を開始することができる。【００２１】
ＲＡＭ１０８は、記録ファイルテーブル１１４及びボタン対応テーブル１１５を備える。後述する制御部１０９は、ＲＡＭ１０８が保持する各テーブルにデータを記憶する。【００２２】
図３は、本実施形態のデータ記録再生装置における記録ファイルテーブル１１４及びボタン対応テーブル１１５を説明する図である。【００２３】
記録ファイルテーブル１１４には、記録/再生部１０３に記録された記録ファイルに関する情報が記憶される。具体的には、記録ファイルテーブル１１４には、図３（ａ）に示すように、記録/再生部１０３に記録された各ファイルについて、記録ファイル名、チャンネル番号、記録開始・終了時刻及びその他の情報が記憶される。【００２４】
記録ファイル名は、記録/再生部１０３に記録された順に付与される、記録ファイルを特定するため情報を示す。チャンネル番号は、記録された放送番組のチャンネル番号である。記録開始・終了時刻は、当該放送番組の記録開始及び記録停止時刻である。その他、記録/再生部１０３における記録位置を特定するためのアドレス、記録モード等の情報が記録される。制御部１０９は、記録ファイル名、チャンネル番号、記録開始時刻を記録開始時に記録し、記録終了時刻を記録終了後に記録する。【００２５】
ボタン対応テーブル１１５には、記録ファイルテーブル１１４に記憶された各ファイルとリモートコントローラ１１３の数字ボタン２０４の各ボタンとの対応状態が記憶される。ボタン対応テーブル１１５には、例えば、図３（ｂ）に示すように、リモートコントローラ１１３の数字ボタン２０４の数字が小さい順に、記録ファイルテーブル１１４に記録された時刻が新しい記録ファイルが、対応づけて記録される。【００２６】
このとき、記録ファイルテーブル１１４に記録されている記録ファイル数が、数字ボタン２０４の数以下の場合、記録ファイル数以上の数字を有する数字ボタン２０４には、記録ファイルは割り当てられない。例えば、数字ボタン２０４の数が１２の場合には、最大１２個の記録ファイルが割り当て可能である。【００２７】
制御部１０９は、データ記録再生装置を総合的に制御する。制御部１０９は、リモートコントローラ１１３からの指示に基づいて、チューナ１０１による放送チャンネルの選択、エンコーダ１０２による放送信号の圧縮、デコーダ１０４によるデータに対する伸張、構成要素間のデータ転送、記録/再生部１０３によるデータの記録及び読み出し、を制御する。【００２８】
制御部１０９は、放送信号の記録/再生部１０３への記録・消去等の制御とともに、ＲＡＭ１０８の記録ファイルテーブル１１４及びボタン対応テーブル１１５の情報を更新する。制御部１０９は、放送番組の記録順に基づいて、記録ファイルとリモートコントローラ１１３の数字ボタン２０４との割り当てを行う。制御部１０９は、リモートコントローラ１１３における特定の操作の後に、数字ボタン２０４のいずれかが押された場合、当該数字ボタン２０４に対応づけられた記録ファイルを再生させる。【００２９】
本実施の形態において、「リモートコントローラ１１３における特定の操作」とは、例えば、電源ボタン２０１、数字ボタン２０４及び記録ファイルの再生に関するボタン（再生開始ボタン２０９、再生停止ボタン２１０、早送りボタン２１１、早戻しボタン２１２、一時停止ボタン２１３、録画ボタン２１４）以外のボタン（「ＨＤＤ」ボタン２０２、ＭＥＮＵボタン２０３、決定ボタン２０８など）を、数字ボタン２０４の押下に先立って押すことをいう。また、「ＨＤＤ」ボタン２０２等の押下の後、あるいは、押下にかかわらず、数字ボタン２０４の長押し、複数回連続して押すことを含めてもよい。【００３０】
制御部１０９は、このような特定の操作がされた場合に、押された数字ボタン２０４に対応づけてボタン対応テーブル１１５に記録されている記録ファイルを記録/再生部１０３に再生させる。本実施例においては、図２に示す「ＨＤＤ」ボタン２０２が押された後に、数字ボタン２０４が押された場合を特定の操作とし、以下説明する。【００３１】
記録ファイルテーブル１１４とボタン対応テーブル１１５とのデータの更新について説明する。【００３２】
新たな録画操作があったとき、制御部１０９は、新たな記録ファイルの情報を記録ファイルテーブル１１４に追加する。その後、追加した新たな記録ファイルを最も小さい数字「１」を割り当て、以下順に記録時刻が新しい記録ファイルから順に繰り上げ、ボタン対応テーブル１１５の情報を更新する。【００３３】
例えば、図３（ａ）に示すように、記録ファイルテーブル１１４には、記録時刻の新しいファイルから順に「ＦＩＬＥ−１１４」「ＦＩＬＥ−１１３」「ＦＩＬＥ−１１２」・・・の記録ファイルに関する情報が記憶されている。この場合、制御部１０９は、ボタン対応テーブル１１５において、図３（ｂ）に示すように、最新の記録ファイル「ＦＩＬＥ−１１４」に数字ボタンの「１」を割り当て、次に新しい記録ファイル「ＦＩＬＥ−１１３」に数字ボタンの「２」を割り当て、順に記録時刻が古い順に対応数字を繰り上げる。【００３４】
図３（ｃ）に示すように、記録ファイルテーブル１１４に新たに記録ファイル「ＦＩＬＥ−１１５」が記憶された場合、制御部１０９は、図３（ｄ）に示すように、ボタン対応テーブル１１５において、数字ボタン「１」に新たな記録ファイル「ＦＩＬＥ−１１５」を割り当てる。そして、既に記憶されている記録ファイル「ＦＩＬＥ−１１４」「ＦＩＬＥ−１１３」・・・「ＦＩＬＥ−１０４」に、「２」から昇順に数字ボタンを割り当てる。制御部１０９は、図３（ｂ）において数字ボタン「１２」に割り当てられていた記録ファイル「ＦＩＬＥ−１０３」をボタン対応テーブルから消去する。【００３５】
このように、記録ファイルテーブル１１４に新たな記録ファイルが記憶される毎に、制御部１０９は、新たに記録された記録ファイルに最も小さい数字「１」を割り当て、残りの記録ファイルに記録時刻が新しい順に数字を「２」から昇順に数字ボタン２０４の数だけ割り当て、最も古い記録ファイルをボタン対応テーブル１１５から消去する。このようにして、制御部１０９は、ボタン対応テーブル１１５を更新する。【００３６】
リモートコントローラ１１３の数字ボタン２０４が押された際の動作について説明する。【００３７】
ボタン対応テーブル１１５の数字ボタン欄の番号は、リモートコントローラ１１３の各数字ボタン２０４に対応している。リモートコントローラ１１３の数字ボタン２０４の押下を受け付けた時、制御部１０９は、ボタン対応テーブル１１５を参照し、リモートコントローラ１１３の押された数字ボタン２０４が示す番号と同じ数字に割り当てられている記録ファイル名を抽出する。そして、制御部１０９は、抽出された記録ファイル名を持つ記録ファイルを再生するために必要な情報を記録ファイルテーブル１１４から取得する。制御部１０９は、取得した情報に基づいて記録/再生部１０３に当該記録ファイルの再生を開始させる。【００３８】
例えば、図２に示す「３」の数字ボタン２０４の押下を受け付けた時、制御部１０９は、図３（ｂ）に示すボタン対応テーブル１１５を参照し、数字ボタン欄の番号「３」に対応する記録ファイル名「ＦＩＬＥ−１１２」を抽出する。制御部１０９は、記録ファイルテーブル１１４を参照し、記録ファイル名「ＦＩＬＥ−１１２」の記録ファイルのアドレス情報等を取得して、当該記録ファイルを記録/再生部１０３に再生させる。【００３９】
記録/再生部１０３に記録されている記録ファイルの消去があった場合の動作を説明する。【００４０】
記録/再生部１０３に記録されている記録ファイルの消去があった場合、制御部１０９は、削除された記録ファイルに関する情報を記録ファイルテーブル１１４から削除する。また、制御部１０９は、削除された記録ファイルに関する情報をボタン対応テーブル１１５から削除する。【００４１】
制御部１０９は、ボタン対応テーブル１１５から記録ファイルを削除したとき、残された記録ファイルに割り当てられている数字を更新する。具体的には、削除した記録ファイルより記録時刻が古い記録ファイルに割り当てる数字を１づつ繰り上げる（小さい数字にする）。また、可能な場合には、記録ファイルテーブル１１４に記録されているがボタン対応テーブル１１５において対応づけられていない記録ファイルの中で、最も新しい記録ファイルを追加し、数字ボタン２０４の最大の数字に割り当てる。【００４２】
例えば、図３（ｂ）に示すボタン対応テーブル１１５の場合、制御部１０９は、「３」の数字ボタン２０４に割り当てられている「ＦＩＬＥ−１１２」の記録ファイルを削除した場合、「ＦＩＬＥ−１１２」の記録ファイルの次に記録時刻が新しい「ＦＩＬＥ−１１１」（「ＦＩＬＥ−１１２」を削除するまで「４」の数字ボタン２０４に割り当てられている記録ファイル）を「３」の数字ボタン２０４に割り当て、以下順に割り当てる数字ボタン２０４を繰り上げる。そして、可能な場合には、制御部１０９は、記録ファイルテーブル１１４から新たに取得した記録ファイルに最大の数字を割り当てる。【００４３】
次に、データ記録再生装置の動作について説明する。【００４４】
最初に記録時の動作について説明する。図４は、本実施例のデータ記録再生装置の記録時の動作を説明するフローチャートである。【００４５】
制御部１０９は、リモートコントローラ１１３からの記録開始指示、或いは、予約記録が設定されている場合、記録開始指示又は予約記録設定に基づいて、放送番組の記録を開始する（ステップＳ１１）。このとき、制御部１０９は、記録を開始した放送番組の記録ファイルに関する情報を記録ファイルテーブル１１４に記憶する。【００４６】
制御部１０９は、リモートコントローラ１１３からの記録停止指示、或いは、予約記録時間が経過した場合、記録を停止する（ステップＳ１２）。【００４７】
制御部１０９は、記録を停止すると、記録ファイルの記録停止時刻を記録ファイルテーブルの該当する記録ファイルのデータに書き込み、記録ファイルテーブル１１４のデータを更新する（ステップＳ１３）。【００４８】
制御部１０９は、記録ファイルテーブル１１４のデータを更新した後、ボタン対応テーブル１１５も更新する（ステップＳ１４）。すなわち、更新された最も新しい記録ファイルに対し数字の最も小さい数字ボタン２０４を割り当て、既に記憶されている記録ファイルを記録時刻が新しい順に数字の小さい数字ボタンから割り当てる。【００４９】
以上により、放送番組の記録と、放送番組の記録に伴う記録ファイルテーブル１１４とボタン対応テーブル１１５の更新が完了する。【００５０】
次に、再生時の動作について説明する。【００５１】
図５は、本実施形態のデータ記録再生装置の記録ファイルの再生時の動作を説明するフローチャートである。【００５２】
制御部１０９は、リモートコントローラ１１３の「ＨＤＤ」ボタン２０２が押されたか否かを監視する（ステップＳ２１）。ユーザによる「ＨＤＤ」ボタン２０２以外の押下を検出した場合（ステップＳ２１；ＮＯ）、制御部１０９は、押されたボタンに対応する処理を実行するように制御する（ステップＳ２２）。【００５３】
制御部１０９は、リモートコントローラ１１３の「ＨＤＤ」ボタン２０２の押下を検出した場合（ステップＳ２１；ＹＥＳ）、次に、数字ボタン２０４が押されたか否かを監視する（ステップＳ２３）。ユーザのリモートコントローラ１１３の数字ボタン２０４以外の押下を検出した場合（ステップＳ２３；ＮＯ）、制御部１０９は、押されたボタンに対応する処理を実行するように制御する（ステップＳ２２）。【００５４】
制御部１０９は、リモートコントローラ１１３の数字ボタン２０４の押下を検出した場合（ステップＳ２３；ＹＥＳ）、ボタン対応テーブル１１５を参照し、押された数字ボタン２０４に対応する記録ファイルを検索する（ステップＳ２４）。【００５５】
ボタン対応テーブル１１５に押下を検出した数字ボタン２０４に対応する記録ファイルがない場合（ステップＳ２５：ＮＯ）、制御部１０９は、記録ファイルテーブル１１４の一覧を表示するメニュー画面を表示する（ステップＳ２６）。数字ボタン２０４のボタン数を越える数の記録ファイルがある場合には、ユーザは表示された一覧から所望のファイルを選択することができる。逆に、記録ファイル数が少なく、押下された数字ボタンに対応する記録ファイルが存在しない場合には、ユーザは一覧から所望のファイルを選択することができる。【００５６】
ボタン対応テーブル１１４に押下を検出した数字ボタン２０４に対応する記録ファイルがある場合（ステップＳ２５：ＹＥＳ）、制御部１０９は、記録ファイルテーブル１１４を参照し、記録ファイルテーブル１１４に記憶された当該記録ファイルの再生に必要な情報を取得する（ステップＳ２７）。次いで、制御部１０９は取得したアドレス情報等に基づいて記録/再生部１０３に当該記録ファイルの再生を開始させる（ステップＳ２８）。【００５７】
再生開始後は、通常の操作と同様に、早戻し再生、早送り再生、一時停止、再生停止が可能である。【００５８】
また、記録ファイル再生中は、上記「ＨＤＤ」ボタン２０２の押下無しで、押下を検出した数字ボタン２０４に割り当てられた記録ファイルを検索し、あれば再生するよう構成する。すなわち、一旦再生が開始された場合は、上記ステップＳ２３から開始する。なお、記録ファイル再生中であっても、上記「ＨＤＤ」ボタン２０２の押下に続いて数字ボタン２０４の押下を検出した場合には、再生中の記録ファイルの再生を停止し、該当する記録ファイルを再生するよう構成してもよい。【００５９】
なお、記録ファイルの再生中に新たに数字ボタン２０４が押され、新たに押された数字ボタン２０４に対応する記録ファイルがない場合は、再生中の記録ファイルの再生動作を継続するよう構成してもよい。【００６０】
また、再生中に「ＨＤＤ」ボタン２０２が押下された場合には、ステップＳ２１の状態に戻るよう構成してもよい。【００６１】
以上のように、本実施の形態に係るデータ記録再生装置においては、新たに記録された記録ファイルから順にリモートコントローラ１１３の小さい数字を有する数字ボタン２０４を割り当てる。リモートコントローラ１１３の「ＨＤＤ」ボタン２０２の押下に続いて、いずれかの数字ボタン２０４が押下されたとき、当該数字ボタンに割り当てられている記録ファイルを再生する。従って、ユーザは「ＨＤＤ」ボタン２０２と数字ボタン２０４の押下のみの簡単な操作で記録ファイルを再生させることができる。また、再生を開始した後は、数字ボタン２０４のみの押下で、次々記録ファイルを再生させることができる。従って、所望の記録ファイルを実質的に少ない操作回数で容易に再生することが可能となる。【００６２】
上記の実施の形態では、ボタン対応テーブル１１５には、リモートコントローラの１１３の数字ボタン２０４が有するボタン数の記録ファイルのみが格納されているが、これに限られない。例えば、ボタン数を超えていても、記録ファイルテーブル１１４に記録されている全ての記録ファイルを、記録時刻順に保持するよう構成してもよい。この場合、最新の記録ファイルから数字ボタン２０４のボタン数の記録ファイルのみ、数字ボタン２０４が割り当てられる。この場合も、新たに記録ファイルが記録/再生部１０３に記録された場合、最新の記録ファイルに最小の数字が割り当てられ、既存の記録ファイルに割り当てられた数字は、１つづつ繰り下げられる。さらに、記録ファイルが削除された場合は、削除されたファイル以前の記録ファイルに割り当てられた数字が１づつ繰り上げられ、今まで数字が割り当てられていなかったファイルのうち最新のファイルに最後の数字が割り当てられる。【００６３】
そして、この場合は、ボタン対応テーブル１１５を別個に保持せず、記録ファイルテーブル１１４が各記録ファイルの記録時間やアドレスなどの情報とともにボタン対応情報を保持するよう構成してもよい。【００６４】
また、上記の実施の形態では、記録ファイルがデータ記録再生装置に内蔵されているハードディスクに記録されている場合を例にあげて説明したが、記録ファイルの格納場所はこれに限られない。例えば、外付けのハードディスク、ＤＶＤ（Digital Versatile Disc）などの可搬型記録媒体に記録されていてもよい。例えば、ＨＤ＋ＤＶＤ型のデータ記録再生装置に用いるリモートコントローラには、一般に「ＨＤＤ」ボタンの他に、ＤＶＤ再生を選択するための「ＤＶＤ」ボタンが設けられている。上記「ＨＤＤ」ボタン２０２の代わって「ＤＶＤ」ボタンの同様の操作により、記録/再生部１０３は、制御部１０９の指示に従って、ＤＶＤに記録されたデータファイルを読み出し、再生する。【００６５】
上記で詳細に説明したものは本発明の例に過ぎず、本発明の新規な開示及び利点から大きく逸脱することなしに、当該例示的な実施形態において多くの修正が可能であることは当業者には容易に理解されるであろう。従って、かかる修正のすべてが本発明の範囲内に含まれると意図される。
【産業上の利用可能性】
【００６６】
本発明は、ユーザが記録媒体に記録した放送信号を容易に視聴できるデータ記録再生装置として、極めて広い産業上の利用可能性を有する。
【図１】
2006092873.tif 000002
【図２】
2006092873.tif 000003
【図３】
2006092873.tif 000004
【図４】
2006092873.tif 000005
【図５】
2006092873.tif 000006
【国際調査報告】
2006092873.tif 000007
2006092873.tif 000008